(57)【要約】【課題】複数の光電素子を搭載する場合であっても、調芯作業を容易且つ精度よく行うことができる光通信モジュールを提供する。【解決手段】複数の通光穴４が並設された筐体２内に、各通光穴４に対応してフォトダイオード２０及びレーザダイオード２５を保持する複数の保持部１０を配すると共に、複数の保持部１０を可撓性の導電体３０を介して連結する。保持部１０は、可撓性の導電体３０に接続されたフォトダイオード２０及びレーザダイオード２５を、透光性の合成樹脂で個別に封止することによって成型する。また各保持部１０には、レンズ面１１を一体成型する。更には、光を反射又は屈折させることによって、通光穴４からの光をフォトダイオード２０の受光部２２へ、又は、レーザダイオード２５の発光部２７からの光を通光穴４へ導く導光手段を備えてもよい。【選択図】図２
2011215303.tif 000002
【特許請求の範囲】
【請求項１】
受光部又は発光部を有し、光信号から電気信号へ又は電気信号から光信号への変換をそれぞれ行う複数の光電素子と、
各光電素子の受光部への光又は各光電素子の発光部からの光を通す複数の通光穴が並設された通光面を有する多面体形をなし、前記複数の光電素子を収容する筐体と、
それぞれが前記光電素子を保持し、前記複数の通光穴に対応して前記筐体内に並設された複数の保持部と
を備え、
前記複数の保持部は、可撓性の導電体を介して連結されていること
を特徴とする光通信モジュール。
【請求項２】
前記保持部は、一又は複数の前記導電体に接続された前記複数の光電素子を、前記導電体の一部分と共に透光性の合成樹脂で個別に封止してあること
を特徴とする請求項１に記載の光通信モジュール。
【請求項３】
前記保持部には、対応する通光穴からの光を前記光電素子の受光部へ集光するレンズ面、又は、前記光電素子の発光部からの光を対応する通光穴を通して前記筐体外の所定位置へ集光するレンズ面が、一体成型してあること
を特徴とする請求項２に記載の光通信モジュール。
【請求項４】
前記保持部は、
保持した前記光電素子の受光部又は発光部の中心と対応する通光穴の中心とが一致しないように前記筐体内に配され、
光を反射又は屈折させて、前記通光穴からの光を対応する前記光電素子の受光部へ、又は、前記光電素子の発光部からの光を対応する前記通光穴へ導く導光手段を有すること
を特徴とする請求項２又は請求項３に記載の光通信モジュール。
【請求項５】
前記保持部及び前記導光手段が一体成型してあること
を特徴とする請求項４に記載の光通信モジュール。
【請求項６】
前記筐体の各通光穴内に設けられたレンズを備え、
該レンズは前記筐体と透光性の合成樹脂で一体成型してあること
を特徴とする請求項１乃至請求項５のいずれか１つに記載の光通信モジュール。
【請求項７】
前記筐体の通光面に突設され、他部材との接続を行うための複数の接続ピンを備え、
前記通光穴は、前記複数の接続ピンの間に並設してあること
を特徴とする請求項１乃至請求項６のいずれか１つに記載の光通信モジュール。
【発明の詳細な説明】
【技術分野】
【０００１】
本発明は、光通信を行うためのレーザダイオード及び／又はフォトダイオード等の光電素子をパッケージ化した光通信モジュールに関する。
【背景技術】
【０００２】
従来、光ファイバなどを利用した光通信が広く普及している。光通信は、電気信号をレーザダイオードなどの光電素子にて光信号に変換し、光ファイバを介して光信号を送受信し、受信した光信号をフォトダイオードなどの光電素子が電気信号に変換することによって行われる。このため、レーザダイオード及び／又はフォトダイオード等の光電素子を、場合によっては光電素子を動作させるための周辺回路素子と共に、１つのパッケージとして構成した光通信モジュールが広く用いられている。この光通信モジュールは、ＯＳＡ（Optical Sub-Assembly）と呼ばれている。近年では、光通信及び光通信モジュールに関する種々の発明がなされている。
【０００３】
例えば、特許文献１においては、光信号を送信又は受信する光電素子と、これを固定するためのステムと、光電素子をカバーするためのキャップと、光電素子に電気信号を印加又は光電素子からの電気信号を伝送する複数本のリードとを備え、ステム及びキャップにて構成されるパッケージ内に位置する所定のリードの一端に平面部を設け、この平面部に、一端が光電素子に接続され他端がリードに接続される電気回路部品を設けた構成とすることにより、高周波特性が優れ、小型化できる光−電気変換モジュールが提案されている。
【０００４】
また、光通信を行うための光ファイバは、光が通るコアと、その周囲を覆って光を閉じ込めるクラッドとで構成されている。光ファイバは、石英ガラスのコアを高強度プラスチックのクラッドで覆ったＨＰＣＦ（Hard Polymer Clad Fiber）、コア及びクラッドを石英ガラスで構成したＡＧＦ（All silica Glass Fiber）等のように、コア及びクラッドの材質により種々のものがあり、通信速度及びコスト等を考慮して選択される。比較的に低速な光通信に用いられるＨＰＣＦはコアの直径が２００μｍ程度であり、高速な光通信に用いられるＡＧＦはコアの直径が数μｍ〜数十μｍ程度である。これに対してレーザダイオードの発光部分のサイズは数μｍ〜十数μｍ程度であり、フォトダイオードの受光部分のサイズは数十μｍ程度である。このため、コアの直径が小さいＡＧＦは、レーザダイオードの発光部分又はフォトダイオードの受光部分に対して位置合わせ（調芯）を行う必要がある。
【先行技術文献】
【特許文献】
【０００５】
【特許文献１】特開２００５−１６７１８９号公報
【発明の概要】
【発明が解決しようとする課題】
【０００６】
複数の光電素子を１つのパッケージとして光通信モジュールを構成することができる。例えば光信号の送信を行う発光素子と受信を行う受光素子とを１つのパッケージとした光通信モジュールを用いることによって、通信機器は１つの光通信モジュールを搭載するのみで、光信号の送受信を行うことが可能となる。
【０００７】
また光ファイバのコネクタ部品として広く用いられているＭＴ（Mechanically Transferable）コネクタは、束ねられた複数の光ファイバを接続するためのものであり、多数の光ファイバを容易に接続して光通信システムを構築することができる。光通信モジュールをＭＴコネクタに連結可能な形状とし、光ファイバの数に対応した複数の光電素子を光通信モジュールに搭載する構成とすることによって、ＭＴコネクタに連結するのみで利用できる利便性の高い光通信モジュールを実現できる。
【０００８】
複数の光電素子を搭載するために、光通信モジュールの回路基板などに複数の光電素子を並設する構成とすることができる。しかしながら、上述のように光電素子は光ファイバの中心などに対する調芯作業を行う必要があり、回路基板などに並設された複数の光電素子の全てを精度よく調芯することは難しいという問題があった。
【０００９】
本発明は、斯かる事情に鑑みてなされたものであって、その目的とするところは、複数の光電素子を搭載する場合であっても、調芯作業を容易且つ精度よく行うことができる光通信モジュールを提供することにある。
【課題を解決するための手段】
【００１０】
本発明に係る光通信モジュールは、受光部又は発光部を有し、光信号から電気信号へ又は電気信号から光信号への変換をそれぞれ行う複数の光電素子と、各光電素子の受光部への光又は各光電素子の発光部からの光を通す複数の通光穴が並設された通光面を有する多面体形をなし、前記複数の光電素子を収容する筐体と、それぞれが前記光電素子を保持し、前記複数の通光穴に対応して前記筐体内に並設された複数の保持部とを備え、前記複数の保持部は、可撓性の導電体を介して連結されていることを特徴とする。
【００１１】
また、本発明に係る光通信モジュールは、前記保持部が、一又は複数の前記導電体に接続された前記複数の光電素子を、前記導電体の一部分と共に透光性の合成樹脂で個別に封止してあることを特徴とする。
【００１２】
また、本発明に係る光通信モジュールは、前記保持部には、対応する通光穴からの光を前記光電素子の受光部へ集光するレンズ面、又は、前記光電素子の発光部からの光を対応する通光穴を通して前記筐体外の所定位置へ集光するレンズ面が、一体成型してあることを特徴とする。
【００１３】
また、本発明に係る光通信モジュールは、前記保持部が、保持した前記光電素子の受光部又は発光部の中心と対応する通光穴の中心とが一致しないように前記筐体内に配され、光を反射又は屈折させて、前記通光穴からの光を対応する前記光電素子の受光部へ、又は、前記光電素子の発光部からの光を対応する前記通光穴へ導く導光手段を有することを特徴とする。
【００１４】
また、本発明に係る光通信モジュールは、前記保持部及び前記導光手段が一体成型してあることを特徴とする。
【００１５】
また、本発明に係る光通信モジュールは、前記筐体の各通光穴内に設けられたレンズを備え、該レンズは前記筐体と透光性の合成樹脂で一体成型してあることを特徴とする。
【００１６】
また、本発明に係る光通信モジュールは、前記筐体の通光面に突設され、他部材との接続を行うための複数の接続ピンを備え、前記通光穴は、前記複数の接続ピンの間に並設してあることを特徴とする。
【００１７】
本発明においては、光通信モジュールは、複数の通光穴が並設された通光面を有する多面体形の筐体内に、各通光穴に対応して複数の光電素子を配する構成とする。筐体内にて各光電素子をそれぞれ保持部にて保持し、複数の保持部を各通光穴に対応して並設する。複数の保持部は、可撓性の導電体を介して連結することで、１つの部品として扱うことができ、導電体を折り曲げるなどして保持部間の距離を調整することができる。よって、光の授受を行う通光穴に対して、対応する光電素子を保持した保持部を個別に位置合わせすることができるため、複数の光電素子の調芯作業を容易且つ精度よく行うことが可能となる。
【００１８】
また、本発明においては、一又は複数の導電体に接続した複数の光電素子を、導電体の一部分と共に透光性の合成樹脂で個別に封止することによって、光電素子の保持部を形成する。これにより、可撓性の導電体に光電素子を接続した場合であっても、導電体と光電素子との接続部分は樹脂封止により強固に固定され、強度が低下することはない。また光電素子を個別に樹脂封止するため、保持部間の導電体は可撓性を保つことができる。
【００１９】
また、本発明においては、光電素子を保持する各保持部には、光電素子の受光部へ光を集光するレンズ面又は発光部からの光を所定位置へ集光するレンズ面を、透光性の合成樹脂で一体成型する。これにより、光通信モジュールの部品点数を低減することができ、光通信モジュールの製造工程を簡略化することができる。
【００２０】
ＭＴコネクタなどに適合させて光通信モジュールの筐体の形状を決定する場合、筐体に設ける複数の通光穴の間隔が狭く、筐体内の複数の保持部を通光穴の間隔と同じ間隔で並設することができないときがある。そこで本発明においては、通光穴の中心と、保持部が保持する光電素子の受光部又は発光部の中心とが一致しないように、複数の保持部が筐体内に配される構成であってもよい。この構成の場合、通光穴と光電素子との間には、光を反射又は屈折させる光学素子を配し、通光穴からの光を光電素子の受光部へ、又は、光電素子の発光部からの光を通光穴へ導く構成とする。これにより、複数の通光穴の間隔が狭い場合であっても、光通信モジュールに複数の光電素子を搭載することができる。
【００２１】
また、本発明においては、上記の光を導く手段を透光性の合成樹脂で保持部に一体成型する。これにより、各光電素子に対して導光手段を設ける場合であっても、光通信モジュールの部品点数の増大を抑制することができる。
【００２２】
また、本発明においては、筐体に設けた複数の通光穴内にはレンズを設け、筐体とレンズとを透光性の合成樹脂で一体成型する。これにより、光通信モジュールの部品点数を低減することができ、光通信モジュールの製造工程を簡略化することができる。
【００２３】
また、本発明においては、筐体の通光面には、他部材との接続を行うための複数の接続ピンを設ける。複数の通光穴は、複数の接続ピンの間に並設する。これにより、ＭＴコネクタのように他部材との接続を容易に行うことができる光通信モジュールを実現することができる。
【発明の効果】
【００２４】
本発明による場合は、可撓製の導電体を介して接続された複数の保持部がそれぞれ光電素子を保持し、筐体に並設した複数の通光穴に対応して複数の保持部を並設する構成とすることにより、導電体を折り曲げるなどして保持部間の距離を調整することができるため、光電素子を保持した保持部を通光穴に対して個別に位置合わせすることができ、複数の光電素子の調芯作業を容易且つ精度よく行うことができる。
【図面の簡単な説明】
【００２５】
【図１】本発明に係る光通信モジュールの外観を示す模式的斜視図である。
【図２】本発明の実施の形態１に係る光通信モジュールの内部構成を示す模式的断面図である。
【図３】ＯＳＡの保持部及び導電板の構成を示す模式的平面図である。
【図４】本発明の実施の形態１の変形例１に係る光通信モジュールの内部構成を示す模式的断面図である。
【図５】本発明の実施の形態１の変形例２に係る光通信モジュールの内部構成を示す模式的断面図である。
【図６】本発明の実施の形態２に係る光通信モジュールの内部構成を示す模式的断面図である。
【図７】導光部の構成を説明するための模式図である。
【発明を実施するための形態】
【００２６】
（実施の形態１）
以下、本発明をその実施の形態を示す図面に基づき具体的に説明する。図１は、本発明に係る光通信モジュールの外観を示す模式的斜視図である。図において１は、複数の光電素子をパッケージ化したＯＳＡであり、本発明に係る光通信モジュールに相当する。ＯＳＡ１は、略直方体形の筐体２を備えており、略長方形をなす一の面（通光面２ａ）には、長手方向に２本の接続ピン３が並設されている。接続ピン３は、丸棒状をなし、図示しないＭＴコネクタなどの他部材との接続を行うためのものであり、筐体２の通光面２ａから略垂直に突出して設けられている。
【００２７】
また筐体２の通光面２ａには、２本の接続ピン３の間に、２つの通光穴４が、通光面２ａの長手方向に並べて形成してある。通光穴４は、略円形をなし、筐体２の内外を連通するように形成された貫通穴である。筐体２内には光電素子が収容されており、通光穴４は、光電素子からの光を筐体２外部へ、又は、筐体２外部からの光を光電素子へ通すために形成されたものである。
【００２８】
また図示は省略するが、ＯＳＡ１は、筐体２の通光面２ａの反対面に、電気信号の入出力を行うための複数の接続端子が設けられている。これによりＯＳＡ１は、接続端子から入力された電気信号を光信号に変換して通光穴４から出射し、及び／又は、通光穴４から入射された光信号を電気信号に変換して接続端子から出力することができる。
【００２９】
図２は、本発明の実施の形態１に係る光通信モジュールの内部構成を示す模式的断面図である。実施の形態１に係るＯＳＡ１は、筐体２内にフォトダイオード２０及びレーザダイオード２５の２つの光電素子と、これら光電素子が接続される一又は複数の導電板３０と、光電素子を個別に樹脂封止した２つの保持部１０とを備えて構成されている。
【００３０】
フォトダイオード２０は、光信号を受光し、電気信号に変換して出力する光電素子である。フォトダイオード２０は、平面視が略正方形をなす板状であり、その一の面（図２において下面）には接続端子部２１が設けられている。接続端子部２１は、フォトダイオード２０に対して電気信号を入出力するための端子であり、且つ、半田又は導電性接着剤等を介して導電板（導電体）３０への接続を行うためのものである。またフォトダイオード２０の上面には、光を検知して電気信号に変換する受光部２２が略中央に設けられると共に、受光部２２の周辺にはワイヤ３５を介した電気的接続（即ち、ワイヤボンディング）を行うための端子が設けられている。
【００３１】
レーザダイオード２５は、入力された電気信号を光信号に変換して出力する光電素子である。レーザダイオード２５は、フォトダイオード２０と略同じ形状をなし、平面視が略正方形をなす板状であり、その下面には接続端子部２６が設けられている。接続端子部２６は、レーザダイオード２５に対して電気信号を入出力するための端子であり、且つ、半田又は導電性接着剤等を介して導電板３０への接続を行うためのものである。またレーザダイオード２５の上面には、光を発する発光部２７が略中央に設けられると共に、発光部２７の周辺にはワイヤ３５を介した電気的接続を行うための端子が設けられている。
【００３２】
ＯＳＡ１の導電板３０は、例えば金属製の薄い板体で形成され、可撓性を有しており、折り曲げることが可能である。また導電板３０は、フォトダイオード２０の接続端子部２１及びレーザダイオード２５の接続端子部２６が半田若しくは導電性接着剤等を用いて接続され、又は、フォトダイオード２０及びレーザダイオード２５の上面に設けられた端子がワイヤ３５を介して接続されるものであり、フォトダイオード２０及びレーザダイオード２５が電気信号の送受信を行うためのものである。換言すれば、導電板３０は、フォトダイオード２０及びレーザダイオード２５を用いた光通信装置の回路において、回路の構成要素を接続する配線に相当するものである。また導電板３０は、筐体２の外部に露出する金属製の接続端子に電気的に接続されており、この接続端子及び導電板３０を介して、フォトダイオード２０及びレーザダイオード２５は外部との電気信号の送受信を行うことができる。
【００３３】
ＯＳＡ１の２つの保持部１０は、フォトダイオード２０及びレーザダイオード２５と、これらが接続された導電板３０の一部分（フォトダイオード２０及びレーザダイオード２５の接続位置の周辺部分）とを、透光性の合成樹脂で個別に封止することによって、フォトダイオード２０及びレーザダイオード２５をそれぞれ保持したものである。保持部１０は、平面視が略正方形をなす略直方体形であり、上面の中央には凸状のレンズ面１１が一体的に成型されている。
【００３４】
フォトダイオード２０を保持する保持部１０のレンズ面１１は、筐体２の通光部４を通して入射した光を、フォトダイオード２０の受光部２２へ集光すべく設けられたものであり、レンズ面１１の中心と受光部２２の中心とが略一致するように保持部１０の上面に一体成型されている。またレーザダイオード２５を保持する保持部１０のレンズ面１１は、レーザダイオード２５の発光部２７が発した光を、筐体２の通光部４を通して所定位置（例えばＯＳＡ１に連結されるＭＴコネクタの光ファイバが配される位置）へ集光すべく設けられたものであり、レンズ面１１の中心と発光部２７の中心とが略一致するように保持部１０の上面に一体成型されている。
【００３５】
図３は、ＯＳＡ１の保持部１０及び導電板３０の構成を示す模式的平面図である。なお、図３においては、保持部１０の外形を破線で示してある。図示の例では、ＯＳＡ１は５つの導電板３０ａ〜３０ｅを備えている。第１の導電板３０ａは、略長方形をなし、長手方向の一端側の上面にフォトダイオード２０が半田又は導電性接着剤等を用いて接続され、他端側は筐体２の外部に露出する金属製の接続端子に接続されている。また第１の導電板３０ａには、接続ピン３より径の大きい略円形の開口３２が形成されており、接続ピン３は筐体２を貫通し、筐体２内において開口３２を挿通するように配設される。第２の導電板３０ｂは、略長方形をなし、第１の導電板３０ａと並べて配されており、長手方向の一端側の上面とフォトダイオード２０の上面に設けられた端子とがワイヤ３５を介して接続され、他端側は筐体２の外部に露出する金属製の接続端子に接続されている。
【００３６】
第３の導電板３０ｃは、第１の導電板３０ａと略同じ構成であり、筐体２内において第１の導電板３０ａとは反対向きに（又は対称に）配されている。第３の導電板３０ｃは、略長方形をなし、長手方向の一端側の上面にレーザダイオード２５が半田又は導電性接着剤等を用いて接続され、他端側は筐体２の外部に露出する金属製の接続端子に接続されている。また第３の導電板３０ｃには、接続ピン３より径の大きい略円形の開口３２が形成されている。第４の導電板３０ｄは、第２の導電板３０ｂと略同じ構成であり、筐体２内において第２の導電板３０ｂとは反対向きに配されている。第４の導電板３０ｄは、略長方形をなし、第３の導電板３０ｃと並べて配されており、長手方向の一端側の上面とレーザダイオード２５の上面に設けられた端子とがワイヤ３５を介して接続され、他端側は筐体２の外部に露出する金属製の接続端子に接続されている。
【００３７】
第５の導電板３０ｅは、第１の導電板３０ａ及び第３の導電板３０ｃとにそれぞれ並べて配される２つの略長方形の部分と、この部分に連なって、第１の導電板３０ａのフォトダイオード２０が接続された端部及び第３の導電板３０ｃのレーザダイオード２５が接続された端部を囲むように配される２つの略Ｕ字型の部分と、２つの略Ｕ字型の部分を連結する部分とを有している。
【００３８】
第１の導電板３０ａ及び第２の導電板３０ｂは、フォトダイオード２０と電気信号の授受を行うためのものである。第３の導電板３０ｃ及び第４の導電板３０ｄは、レーザダイオード２５と電気信号の授受を行うためのものである。また第５の導電板３０ｅは、接地電位などの固定電位に接続され、フォトダイオード２０及びレーザダイオード２５を外部からのノイズから保護する（シールドする）ためのものである。
【００３９】
フォトダイオード２０を保持する保持部１０は、フォトダイオード２０と、第１の導電板３０ａの一端部分（開口３２は含まない）と、第２の導電板３０ｂの一端部分と、ワイヤ３５と、第５の導電板３０ｅの略長方形の部分の一部及び略Ｕ字型の部分とを、透光性の合成樹脂により樹脂封止して成型されている。同様に、レーザダイオード２５を保持する保持部１０は、レーザダイオード２５と、第３の導電板３０ｃの一端部分（開口３２は含まない）と、第４の導電板３０ｄの一端部分と、ワイヤ３５と、第５の導電板３０ｅの略長方形の部分の一部及び略Ｕ字型の部分とを、透光性の合成樹脂により樹脂封止して成型されている。これによりＯＳＡ１の２つの保持部１０は、第５の導電板３０ｅを介して連結される。
【００４０】
ＯＳＡ１の２つの保持部１０は、筐体２内において、筐体２の通光面２ａに形成された２つの通光穴４にそれぞれ対向するように配される。このとき、各保持部１０は、レンズ面１１の中心と通光穴４の中心とが略一致するように、又は、受光部２２若しくは発光部２７の中心と通光穴４の中心とが略一致するように位置決めされ、筐体２内に固定される。
【００４１】
２つの保持部１０の位置決め（調芯）作業は、まず一方の保持部１０を対応する一方の通光穴４に対して位置決めし、次いで他方の保持部１０を他方の通光穴４に対して位置決めすることで行うことができる。本実施の形態に係るＯＳＡ１は、２つの保持部１０が可撓性を有する導電板３０（３０ｅ）を介して連結されているため、２つの保持部１０間の導電板３０を撓ませる又は折り曲げることができ、２つの保持部１０の距離を適宜に調整できるため、２つの保持部１０の位置決め作業を個別に行うことができる。
【００４２】
なお、各保持部１０の位置決め作業は、例えば筐体２を冶具などに不動に固定し、筐体２をカメラなどで撮影して得られた画像から通光穴４の中心を判断し、この中心位置に対して保持部１０のレンズ面１１の中心を一致させるように、保持部１０の位置を決定することで行うことができる。
【００４３】
以上の構成のＯＳＡ１は、２つの通光穴４が並設された筐体２内に、各通光穴４に対応してフォトダイオード２０及びレーザダイオード２５を保持する２つの保持部１０を配すると共に、２つの保持部１０を可撓性の導電体３０を介して連結する構成とすることにより、フォトダイオード２０及びレーザダイオード２５を保持する２つの保持部１０を１つの部品として扱ってＯＳＡ１の組み立てを行うことができる。また導電体３０を撓ませる又は折り曲げるなどして保持部１０間の距離を調整することができるため、各保持部１０を夫々個別に通光穴４に対して位置決めする作業を行うことができる。よって、ＯＳＡ１が備えるフォトダイオード２０及びレーザダイオード２５の調芯作業を容易且つ精度よく行うことができる。
【００４４】
また、可撓性の導電体３０に接続されたフォトダイオード２０及びレーザダイオード２５を、透光性の合成樹脂で個別に封止することによって保持部１０を成型することにより、導電体３０とフォトダイオード２０及びレーザダイオード２５との接続部分は樹脂封止により強固に固定され、強度が低下することはない。また保持部１０間の導電体３０は可撓性を保つことができるため、各保持部１０の調芯作業を個別に行うことができる。
【００４５】
また、各保持部１０にレンズ面１１を一体成型することによって、ＯＳＡ１の部品点数を低減することができ、ＯＳＡ１の組み立てを容易化することができる。また、ＯＳＡ１の筐体２の通光面２ａに他部材との接続を行うための２つの接続ピン３を設け、この接続ピン３の間に２つの通光穴４を設ける構成とすることにより、ＭＴコネクタのように他部材との接続を容易に行うことができる。
【００４６】
なお本実施の形態においては、ＯＳＡ１がフォトダイオード２０及びレーザダイオード２５の２つの光電素子を備える構成としたが、これに限るものではなく、３つ以上の光電素子を備える構成としてもよい。またＯＳＡ１がフォトダイオード２０のみを複数備える構成であってもよく、レーザダイオード２５のみを複数備える構成であってもよい。また各保持部１０にレンズ面１１を一体成型する構成としたが、これに限るものではなく、別体のレンズを筐体２内に配設する構成としてもよい。またＯＳＡ１が２つの接続ピン３を備える構成としたが、これに限るものではなく、ＯＳＡ１が接続ピン３を備えずに、他部材の接続ピンが挿入される穴又は凹部を筐体２に形成する構成であってもよい。
【００４７】
また図３に示した導電板３０の構成は一例であって、これに限るものではない。例えば２つの保持部１０を連結する導電板３０は、図３に示すように、２つの保持部１０間を略最短距離で連結するように設ける必要はなく、他部材などを迂回するように導電板３０を設けて２つの保持部１０を連結するなどの構成であってもよい。また接地電位に接続されるシールド用の導電板３０ｅにて２つの保持部１０を連結する構成としたが、これに限るものではなく、その他の導電板３０ａ〜３０ｄにて２つの保持部１０を連結する構成であってもよい。
【００４８】
（変形例１）
図４は、本発明の実施の形態１の変形例１に係る光通信モジュールの内部構成を示す模式的断面図である。上述の実施の形態１に係るＯＳＡ１は、接続端子部２１及び受光部２２が反対面に設けられたフォトダイオード２０、並びに、接続端子部２６及び発光部２７が反対面に設けられたレーザダイオード２５を備える構成としたが、これに限るものではない。変形例１に係るＯＳＡ１は、接続端子部２１及び受光部２２が同一面に設けられたフォトダイオード２０ａ、並びに、接続端子部２６及び発光部２７が同一面に設けられたレーザダイオード２５ａを備える構成である。
【００４９】
変形例１に係るＯＳＡ１が備えるフォトダイオード２０ａは、一の面（図４において上面）の中央に受光部２２が設けられ、その周囲に接続端子部２１が設けられており、反対面の中央にワイヤ３５を介して導電板３０との接続を行うための端子が設けられている。導電板３０（３０ａ）には、接続されたフォトダイオード２０ａの受光部２２に対向する部分に開口３１が形成されており、開口３１を通してレンズ面１１が集光する光をフォトダイオード２０ａの受光部２２が受光することができるようにしてある。
【００５０】
同様に、変形例１に係るＯＳＡ１が備えるレーザダイオード２５ａは、上面の中央に発光部２７が設けられ、その周囲に接続端子部２６が設けられており、反対面の中央にワイヤ３５を介して導電板３０との接続を行うための端子が設けられている。導電板３０（３０ｃ）には、接続されたレーザダイオード２５ａの発光部２７に対向する部分に開口３１が形成されており、開口３１を通してレーザダイオード２５ａの発光部２７が発した光をレンズ面１１にて所定位置へ集光することができるようにしてある。
【００５１】
このように、ＯＳＡ１が接続端子部２１及び受光部２２が同一面に設けられたフォトダイオード２０ａ、又は、接続端子部２６及び発光部２７が同一面に設けられたレーザダイオード２５ａを備える場合であっても、導電板３０に開口３１を形成して受光部２２への光又は発光部２７からの光を通す構成とすることで、上述の実施の形態１に係るＯＳＡ１と同様の作用及び効果を有するＯＳＡ１を実現することができる。
【００５２】
（変形例２）
図５は、本発明の実施の形態１の変形例２に係る光通信モジュールの内部構成を示す模式的断面図である。上述の実施の形態１に係るＯＳＡ１は、光電素子及び導電板３０等を透光性の合成樹脂で封止することで保持部１０を成型する構成としたが、これに限るものではない。変形例２に係るＯＳＡ１の保持部１０ｂは、一側（図５において上側）にフォトダイオード２０又はレーザダイオード２５が接続された導電板３０の反対側（下側）に、可撓性を有しない基板などを着設して補強した構成である。
【００５３】
また変形例２に係るＯＳＡ１は、筐体２（の少なくとも通光面２ａ）が透光性の合成樹脂で成型されており、各通光穴４内にはレンズ５が一体的に成型されている。一方のレンズ５は、保持部１０ｂに保持されたフォトダイオード２０の受光部２２へ光を集光するためのものであり、他方のレンズ５は、保持部１０ｂに保持されたレーザダイオード２５の発光部２７からの光を所定位置へ集光するためのものである。
【００５４】
このように、フォトダイオード２０及びレーザダイオード２５は必ずしも樹脂封止される必要はなく、基板で補強するなどのように別の構成としてもよく、この構成であっても上述の実施の形態１に係るＯＳＡ１と同様の作用及び効果を有するＯＳＡ１を実現することができる。また筐体２にレンズ５を一体成型することにより、保持部１０ｂにレンズを一体成型できない場合であっても、ＯＳＡ１の部品点数を低減することができる。
【００５５】
ＭＴコネクタなどの規格に適合させてＯＳＡ１の筐体２の形状を決定する場合、筐体２の通光面２ａに設ける複数の通光穴４の間隔（ピッチ）が狭く、筐体２内の複数の保持部１０を通光穴４のピッチと略同じピッチで並設することができないときがある。この問題の解決策を、以下の実施の形態２にて説明する。
【００５６】
（実施の形態２）
図６は、本発明の実施の形態２に係る光通信モジュールの内部構成を示す模式的断面図である。実施の形態２に係るＯＳＡ２０１は、筐体２の通光面２ａに形成された２つの通光穴２０４のピッチが狭く、筐体２内で２つの保持部２１０を同ピッチで並設することができない（即ち、通光穴２０４の中心と、保持部２１０が保持するフォトダイオード２０の受光部２２の中心又はレーザダイオード２５の発光部２７の中心とを略一致させて配設することができない）構成である。
【００５７】
実施の形態２に係るＯＳＡ２０１は、フォトダイオード２０又はレーザダイオード２５を保持する各保持部２１０に突出して設けられ、通光穴４を通して入射した光をフォトダイオード２０の受光部２２へ導く、又は、レーザダイオード２５の発光部２７が発した光を通光穴４へ導く導光部２４０を備えている。導光部２４０は、保持部２１０と透光性の合成樹脂により一体成型され、形状の異なる複数の面を有している。また導光部２４０の先端部分（図６においては上端部分）は、通光穴４より径の小さい略円柱形に成型されており、各保持部２１０は対応する通光穴２０４内に導光部２４０の先端部分が挿入された状態で、筐体２内に配設される。
【００５８】
図７は、導光部２４０の構成を説明するための模式図である。なお、図７においては、フォトダイオード２０を保持する保持部２１０の導光部２４０を図示し、レーザダイオード２５０を保持する保持部２１０の導光部２４０は図示を省略するが、両導光部２４０は略同じ構成である。
【００５９】
導光部２４０は、略円柱形に成型された先端部分の端面をレンズ面２４１としてある。レンズ面２４１は、ＯＳＡ１外の所定位置（図７のＡ点）から所定の広がりを持って出射された光を、屈折によって平行光に変換して導光部２４０内へ入射させる。導光部２４０は、レンズ面２４１から導光部２４０内に入射した平行光を全反射させる反射平面２４２を有しており、反射平面２４２はレンズ面２４１からの平行光を略垂直な方向へ反射する。また導光部２４０は、反射平面２４２にて反射された光を、更に略垂直な方向へ反射すると共に、保持部１０に保持されたフォトダイオード２０の受光部２２へ集光する反射曲面２４３を有している。
【００６０】
即ち、導光部２４０は、Ａ点からの光をレンズ面２４１にて平行光に変換し、この平行光を反射平面２４２にて略垂直な方向へ反射し、反射された平行光を反射曲面２４３にて更に反射してフォトダイオード２０の受光部２２へ集光することができる。
【００６１】
また、保持部２１０にレーザダイオード２５が保持されている場合には、導光部２４０は、レーザダイオード２５の発光部２７から発した光を反射曲面２４３にて平行光に変換して反射し、反射された光を反射平面２４２にて更に略垂直な方向へ反射し、更に反射された光をレンズ面２４１にてＡ点へ集光する。
【００６２】
実施の形態２に係るＯＳＡ２０１の２つの保持部２１０の位置決め作業は、まず一方の保持部２１０を、導光部２４０の先端部分を通光穴２０４内に挿入した後、レンズ面２４１の中心と通光穴２０４の中心とが略一致するように位置決めし、次いで他方の保持部２１０を、導光部２４０の先端部分を通光穴２０４内に挿入した後、レンズ面２４１の中心と通光穴２０４の中心とが略一致するように位置決めすることで行うことができる。２つの保持部２１０は、可撓製を有する導電板３０を介して連結されているため、２つの保持部２１０間の導電板３０を撓ませる又は折り曲げることができ、２つの保持部１１０の距離を適宜に調整できるため、２つの保持部１１０の位置決め作業を個別に行うことができる。
【００６３】
以上の構成の実施の形態２に係るＯＳＡ２０１は、光を反射又は屈折させる導光部２４０を備え、通光穴２０４からの光をフォトダイオード２０の受光部２２へ、又は、レーザダイオード２５の発光部２７からの光を通光穴２０４へ導く構成とすることにより、筐体２に設けられた複数の通光穴２０４のピッチが狭く、筐体２内にて複数の保持部２１０を同ピッチで並設できない場合であっても、ＯＳＡ２０１は複数の光電素子を搭載して通光穴２０４を通した光信号の送受信を行うことができる。
【００６４】
また、導光部２４０を透光性の合成樹脂により保持部２１０と一体成型することにより、導光部２４０及び保持部２１０を別体とした構成と比較して、ＯＳＡ１の部品点数を低減することができ、ＯＳＡ１の製造工程を簡略化することができる。
【００６５】
なお本実施の形態においては、接続端子部２１及び受光部２２が反対面に設けられたフォトダイオード２０、並びに、接続端子部２６及び発光部２７が反対面に設けられたレーザダイオード２５を備える構成としたが、これに限るものではなく、実施の形態１の変形例１と同様の構成とすることにより、接続端子部２１及び受光部２２が同一面に設けられたフォトダイオード２０ａ、並びに、接続端子部２６及び発光部２７が同一面に設けられたレーザダイオード２５ａを備える構成としてもよい。また更には、導光部２４０の形状を適宜に設定することによって、接続端子部２６が設けられた面に対して垂直な面に発光部２７が設けられた端面発光型レーザダイオードのような光電素子を備える構成とすることもできる。
【００６６】
また、図６及び図７に示した導光部２４０の形状は一例であってこれに限るものではなく、各通光穴２０４の形状、複数の通光穴２０４の配置、筐体２内における複数の保持部２１０の配置、及び保持部２１０の形状等に応じて、導光部２４０の形状は適宜に設定することができる。また、導光部２４０を保持部２１０と一体成型する構成としたが、これに限るものではなく、導光部２４０を保持部２１０とは別体としてもよい。
【００６７】
また、通光穴２０４の中心と導光部２４０のレンズ面２４１の中心とが一致するように保持部２１０の位置決め作業を行う構成としたが、これに限るものではなく、通光穴２０４に導光部２４０の先端部分を嵌合させるのみで保持部２１０の位置が確定する構成であってもよい。
【符号の説明】
【００６８】
１  ＯＳＡ
２  筐体
２ａ  通光面
３  接続ピン
４  通光穴
５  レンズ
１０、１０ａ、１０ｂ  保持部
１１  レンズ面
２０、２０ａ  フォトダイオード（光電素子）
２１  接続端子部
２２  受光部
２５、２５ａ  レーザダイオード（光電素子）
２６  接続端子部
２７  発光部
３０、３０ａ〜３０ｅ  導電板（導電体）
３１  開口
３２  開口
３５  ワイヤ
２０１  ＯＳＡ
２０４  通光穴
２１０  保持部
２４０  導光部（導光手段）
２４１  レンズ面
２４２  反射平面
２４３  反射曲面
【図１】
2011215303.tif 000003
【図２】
2011215303.tif 000004
【図３】
2011215303.tif 000005
【図４】
2011215303.tif 000006
【図５】
2011215303.tif 000007
【図６】
2011215303.tif 000008
【図７】
2011215303.tif 000009